(57)【特許請求の範囲】
【請求項１】
ホッパ内に収納された揺動管に固定されてホッパ前側壁を貫通して突出された揺動軸を回動させることにより上記揺動管を左右に揺動させて、ホッパ前側壁に設けた左右２つの吸入吐出口に交互に一致させるようにしてある揺動弁形コンクリートポンプにおいて、上記ホッパの内底面を、上記揺動軸を中心とする揺動管の揺動軌跡に沿う円弧状に形成し、且つ上記ホッパの内底面に対し揺動管の左右の両脇のスペースを埋めるように該揺動管の左右両側に、該揺動管の揺動動作に伴いホッパの内底面上を摺動してコンクリートを掬い上げた後一方の吸入吐出口の位置まで運ぶようにするための左右のフィラーブロックを、左右に張り出させて取り付けた構成を有することを特徴とする揺動弁形コンクリートポンプ。
【請求項２】
揺動管の左右の両脇のスペースを埋めるように該揺動管の左右両側に左右へ張り出させて取り付けられた左右のフィラーブロックを、各々ホッパの内底面に対し微小隙間をもって摺動できるように揺動管の揺動軸を中心とする半径の円弧面とした下面と、揺動管の前端が２つの吸入吐出口に交互に一致させられるときに順次一方の吸入吐出口に対応させられるようにした凹面状の吸入流路面とした上面と、該上面の吸入流路面と下面の円弧面とを張り出し側の位置で鋭角的に集合させることにより形成した外側縁とからなる構成とした請求項１記載の揺動弁形コンクリートポンプ。
【請求項３】
揺動管の左右の両脇のスペースを埋めるように該揺動管の左右両側に左右へ張り出させて取り付けられた左右のフィラーブロックを、下面を各々ホッパの内底面に対し微小隙間をもって摺動できるように揺動管の揺動軸を中心とする半径の円弧面とすると共に、上面を揺動管の前端が２つの吸入吐出口に交互に一致させられるときに順次一方の吸入吐出口に対応させられるように凹面状とし且つ上記揺動管の前端が２つの吸入吐出口に交互に一致させられるときに順次一方の吸入吐出口に一致させるようにするためのリングフレーム部を、上記凹面状の前端から立ち上がらせるようにして有する吸入流路面とし、該上面の吸入流路面と下面の円弧面とを張り出し側の位置で鋭角的に集合させることにより外側縁を形成させてなる構成とした請求項１記載の揺動弁形コンクリートポンプ。
【請求項４】
揺動管の左右の両脇のスペースを埋めるように該揺動管の左右両側に左右へ張り出させて取り付けられた左右のフィラーブロックを、下面を各々ホッパの内底面に対し微小隙間をもって摺動できるように揺動管の揺動軸を中心とする半径の円弧面とすると共に、上面を揺動管の前端が２つの吸入吐出口に交互に一致させられるときに順次一方の吸入吐出口に対応させられるように凹面状とし且つ上記揺動管の前端が２つの吸入吐出口に交互に一致させられるときに順次一方の吸入吐出口に一致させるようにするため外周後面側コーナー部の上半部側に、下向きのテーパ面を形成したリングフレーム部を、上記凹面状の前端から立ち上がらせるようにして有する吸入流路面とし、該上面の吸入流路面と下面の円弧面とを張り出し側の位置で鋭角的に集合させることにより外側縁を形成させてなる構成とした請求項１記載の揺動弁形コンクリートポンプ。
【発明の詳細な説明】
【０００１】
【発明の属する技術分野】
本発明はホッパ内のコンクリートを吸入して吐出させる揺動弁形コンクリートポンプに関するものである。
【０００２】
【従来の技術】
ホッパ内のコンクリートを２本のコンクリート圧送用シリンダで交互に吸入吐出させるようにしてあるコンクリートポンプには、吸入吐出の切り換えを行う吸入吐出弁として、すべり弁形式のものと、揺動弁形式のものを採用したものが従来より知られている。
【０００３】
後者の揺動弁形式の吸入吐出弁としては、従来図８及び図９に一例を示す如き構成のものが知られている。すなわち、前側壁１ａの下部に２つの吸入吐出口２ａ，２ｂを左右に並べて設けたホッパ１の前側部に、上記２つの吸入吐出口２ａ，２ｂに対応させて２本のコンクリート圧送用シリンダ３を水平に設置し、該コンクリート圧送用シリンダ３に収納したピストン４を図示しない主シリンダのピストンにロッド５を介して一体的に連結して、２つの主シリンダの交互の伸縮動作により上記２つのコンクリート圧送用シリンダ３内のピストン４が交互に前進後退させられるようにしてある。
【０００４】
一方、ホッパ１内には、後端をホッパ１の後側壁１ｂを回転自在に貫通させて輸送管１０に接続させたＳ字形の揺動管６を収納し、該揺動管６の前端にはバルブリング７ａを取り付けて、該バルブリング７ａがホッパ１の前側壁１ａの内面に取り付けたバルブプレート７ｂを介して上記２つの吸入吐出口２ａ，２ｂに交互に一致できるようにし、上記揺動管６の途中には、ホッパ１の前側壁１ａを貫通させて該前側壁１ａに回転自在に支持させた揺動軸８の基端を取り付けブラケット６ａを介して連結し、且つ該揺動軸８の先端部に操作レバー９を一体的に取り付け、該操作レバー９を左右２本の揺動シリンダ１１ａと１１ｂの交互伸縮作動により操作レバー９、揺動軸８を介して揺動管６を揺動軸８を中心に左右に揺動させるようにしてある。
【０００５】
なお、図８及び図９において、１ｃはホッパ１の左右両側に位置する段差部であり、段差部１ｃ上のコンクリート１２は図示しない撹拌羽根により撹拌されながら下方へ流動させられるようにしてある。
【０００６】
上記従来のコンクリートポンプの吸入吐出弁を動作させてホッパ１内のコンクリート１２を吸入吐出させるときは、ホッパ１内のコンクリート１２の中で揺動管６を揺動させて行い、揺動管６の前端がいずれか一方の吸入吐出口２ａ又は２ｂに一致させられると、当該吸入吐出口２ａ又は２ｂ側のコンクリート圧送用シリンダ３のピストン４を前進させてこれまで吸入したコンクリート１２を揺動管６内を通して吐出させると同時に、別のコンクリート圧送用シリンダ３ではピストン４を後退させてホッパ１内のコンクリート１２を吸入させるようにし、次に、揺動管６を他方の吸入吐出口２ｂ又は２ａに切り換えて当該吸入吐出口２ｂ又は２ａ側のコンクリート圧送用シリンダ３のピストン４を前進させると同時に他のコンクリート圧送用シリンダ３にはコンクリート１２を吸入させるようにし、かかる動作を繰り返してコンクリート１２の吸入吐出の切り換えを行うようにしてある。
【０００７】
しかしながら、上記揺動弁形コンクリートポンプの場合、揺動管６が左右に揺動するときに、コンクリート１２が自重によって吸入吐出口２ａ又は２ｂの位置まで流動して吸入側のコンクリート圧送用シリンダ３内に吸入されるようにしてあるが、コンクリート１２が低スランプであると、揺動管６の揺動動作にコンクリート１２の流動が追随できず、コンクリート圧送用シリンダ３の開口部前方に空隙部が形成されることにより、円滑な吸入ができなくなってしまうことがある。
【０００８】
そのため、図８及び図９に示したと同様な構成としてある揺動弁形コンクリートポンプにおいて、図１０に示す如く、前端開口が揺動管６の揺動に伴って吸入吐出口２ａ，２ｂのいずれか一方と対応し且つ後端開口１３ａ，１３ｂが上方へ向けられるようにした一対のガイド管１４ａ，１４ｂを、揺動管６の左右両側部に取り付け、たとえば吸入吐出口２ａに揺動管６が一致させられているとき、吸入吐出口２ｂにガイド管１４ｂが一致させられ、一方、揺動管６が吸入吐出口２ｂ側に切り換えられると、吸入吐出口２ａにガイド管１４ａが一致させられるようにして、揺動管６の揺動時にガイド管１４ａ，１４ｂ内へコンクリートを積極的に取り込むことにより、吸入側のコンクリート圧送用シリンダの開口部前方に空隙部が形成されないようにした型式のものが提案されている（実公昭６２−１１３４４号公報、実公昭６２−２９６６７号公報、実公昭６３−４７６６２号公報等）。
【０００９】
【発明が解決しようとする課題】
ところが、上記ガイド管１４ａ，１４ｂを採用した揺動弁形コンクリートポンプの場合、揺動管６とガイド管１４ａ，１４ｂとの間に隙間が形成されるため、吸入されないコンクリートがホッパ１の底部に残コンとして多量に堆積してしまう問題があり、更に、堆積コンクリートがあると、洗浄がしにくいという問題がある。又、ガイド管１４ａ，１４ｂがなくても、ホッパ１の底部にコンクリートが堆積するが、その場合、堆積したコンクリートと吸入されるコンクリートとの間に抵抗が生じるため、吸入効率の低下を招くことになる。
【００１０】
そこで、本発明は、ホッパ内の残コン量を少なくすることができるようにすることにより、吸入効率の向上と洗浄の容易化を図ることができるようにしようとするものである。
【００１１】
【課題を解決するための手段】
本発明は、上記課題を解決するために、ホッパ内に収納された揺動管に固定されてホッパ前側壁を貫通して突出された揺動軸を回動させることにより上記揺動管を左右に揺動させて、ホッパ前側壁に設けた左右２つの吸入吐出口に交互に一致させるようにしてある揺動弁形コンクリートポンプにおいて、上記ホッパの内底面を、上記揺動軸を中心とする揺動管の揺動軌跡に沿う円弧状に形成し、且つ上記ホッパの内底面に対し揺動管の左右の両脇のスペースを埋めるように該揺動管の左右両側に、該揺動管の揺動動作に伴いホッパの内底面上を摺動してコンクリートを掬い上げた後一方の吸入吐出口の位置まで運ぶようにするための左右のフィラーブロックを、左右に張り出させて取り付けた構成とする。
【００１２】
揺動管を左右に揺動させて２つの吸入吐出口に交互に一致させる動作を行うと、揺動管の揺動動作に伴い、左右のフィラーブロックが揺動管側方のコンクリートを掬い上げた後、一方の吸入吐出口の位置までコンクリートを運ぶことができる。したがって、残コンの量を少なくすることができる。
【００１３】
又、揺動管の左右の両脇のスペースを埋めるように該揺動管の左右両側に左右へ張り出させて取り付けられた左右のフィラーブロックを、各々ホッパの内底面に対し微小隙間をもって摺動できるように揺動管の揺動軸を中心とする半径の円弧面とした下面と、揺動管の前端が２つの吸入吐出口に交互に一致させられるときに順次一方の吸入吐出口に対応させられるようにした凹面状の吸入流路面とした上面と、該上面の吸入流路面と下面の円弧面とを張り出し側の位置で鋭角的に集合させることにより形成した外側縁とからなる構成とすることにより、揺動管の両脇のスペース部を、コンクリートの堆積が生じないように合理的に埋めることができる。
【００１４】
更に、揺動管の左右の両脇のスペースを埋めるように該揺動管の左右両側に左右へ張り出させて取り付けられた左右のフィラーブロックを、下面を各々ホッパの内底面に対し微小隙間をもって摺動できるように揺動管の揺動軸を中心とする半径の円弧面とすると共に、上面を揺動管の前端が２つの吸入吐出口に交互に一致させられるときに順次一方の吸入吐出口に対応させられるように凹面状とし且つ上記揺動管の前端が２つの吸入吐出口に交互に一致させられるときに順次一方の吸入吐出口に一致させるようにするためのリングフレーム部を、上記凹面状の前端から立ち上がらせるようにして有する吸入流路面とし、該上面の吸入流路面と下面の円弧面とを張り出し側の位置で鋭角的に集合させることにより外側縁を形成させてなる構成とすることにより、ホッパ前側壁のバルブプレート面に付着しようとしているコンクリートをリングフレーム部で掻き取ることができる。
【００１５】
更に又、揺動管の左右の両脇のスペースを埋めるように該揺動管の左右両側に左右へ張り出させて取り付けられた左右のフィラーブロックを、下面を各々ホッパの内底面に対し微小隙間をもって摺動できるように揺動管の揺動軸を中心とする半径の円弧面とすると共に、上面を揺動管の前端が２つの吸入吐出口に交互に一致させられるときに順次一方の吸入吐出口に対応させられるように凹面状とし且つ上記揺動管の前端が２つの吸入吐出口に交互に一致させられるときに順次一方の吸入吐出口に一致させるようにするため外周後面側コーナー部の上半部側に、下向きのテーパ面を形成したリングフレーム部を、上記凹面状の前端から立ち上がらせるようにして有する吸入流路面とし、該上面の吸入流路面と下面の円弧面とを張り出し側の位置で鋭角的に集合させることにより外側縁を形成させてなる構成とすることによって、リングフレーム部で掻き取ったコンクリートを吸入流路面側へ流下させ易くすることができる。
【００１６】
【発明の実施の形態】
以下、本発明の実施の形態を図面を参照して説明する。
【００１７】
図１乃至図６は本発明の実施の一形態を示すもので、図８及び図９に示したと同様な構成としてある揺動弁形コンクリートポンプにおいて、ホッパ１の内底面１ｄを、揺動軸８を中心とする揺動管６の揺動軌跡に沿う円弧状に形成し、且つ上記揺動管６の左右両側部に、該揺動管６の揺動時にホッパ１の内底面１ｄ上にあるコンクリート１２を掬い上げるようにした鋳物製のフィラーブロック１５ａ，１５ｂを、左右対称的に張り出すように溶接により一体に取り付ける。
【００１８】
上記フィラーブロック１５ａ，１５ｂは、下面を、ホッパ１の内底面１ａに対し微小隙間ΔＳをもって摺動できるように揺動管６の揺動軸８を中心とする半径の円弧面１６とし、又、上面を、揺動管６の前端が吸入吐出口２ａと２ｂに交互に一致させられるときに順次一方の吸入吐出口２ｂ又は２ａに対応させられるようにした凹面状の吸入流路面１７とし、且つ該吸入流路面１７と上記円弧面１６とを張り出し側の位置で鋭角的に集合させて外側縁１８を形成し、該外側縁１８を、後方へ向かうに従いホッパ形状に沿わせて滑かに縮小させて揺動管６の外側面に収束させるようにし、更に、前面に、揺動管６の前端が吸入吐出口２ａと２ｂに交互に一致させられるときに順次一方の吸入吐出口２ｂ又は２ａに一致させるようにするためのリングフレーム部１９を、上記吸入流路面１７の前端から立ち上がらせるようにして設けてなる構成とし、ホッパ１の内底面１ｄに対し揺動管６の左右両脇のスペースを埋めるようにしてある。なお、上記リングフレーム部１９には、外周後面側コーナー部の上半部側に、下向きのテーパ面２０が形成してある。
【００１９】
ホッパ１内のコンクリート１２を吸入吐出させるときは、ホッパ１内のコンクリート１２の中で揺動管６を左右に揺動させて、揺動管６の前端を吸入吐出口２ａと２ｂに交互に一致させる動作と、２本のコンクリート圧送用シリンダ３のピストン４を交互に前進後退させる動作を行うが、この際、図２に示す如く、揺動管６を揺動させて前端を吸入吐出口２ａに一致させると、揺動管６に一体に取り付けてあるフィラーブロック１５ｂのリングフレーム部１９が吸入吐出口２ｂに一致させられると同時に、フィラーブロック１５ａは吸入吐出口２ａの上方に跳ね上げ位置させられることになり、一方、揺動管６を切り換えて前端を吸入吐出口２ｂに一致させると、フィラーブロック１５ａのリングフレーム部１９が吸入吐出口２ａに一致させられると同時に、フィラーブロック１５ｂは吸入吐出口２ｂの上方に跳ね上げ位置させられることになり、これらの動作を繰り返すことになる。
【００２０】
上記フィラーブロック１５ａ，１５ｂは、上面に形成された吸入流路面１７が凹面状となっているため、上方に跳ね上げられるときに、揺動管６の側方に位置するコンクリート１２を上記吸入流路面１７で掬い上げることができる。したがって、揺動管６の切り換えによりフィラーブロック１５ａ，１５ｂが下降すると、掬い上げられたコンクリート１２は吸入流路面１７に載った状態のまま運ばれることになるので、吸入流路面１７が吸入吐出口２ａ又は２ｂの位置に対応させられると、リングフレーム部１９を経て吸入吐出口２ａ又は２ｂを通してコンクリート圧送用シリンダ３内に円滑に吸入されることになる。
【００２１】
上記において、フィラーブロック１５ａ，１５ｂの下面の円弧面１６とホッパ１の内底面１ｄとの間には、円滑な摺動性を考慮した微小隙間ΔＳしか設定していないので、揺動管６の揺動と一体にフィラーブロック１５ａ，１５ｂが移動すると、ホッパ１の内底面１ｄ上にコンクリート１２を残さないように掬い上げることができる。したがって、ホッパ１の内底面１ｄ上にコンクリート１２を堆積させてしまうことがなく、残コン量をきわめて少なくすることができる。又、フィラーブロック１５ａ，１５ｂが揺動管６と一体に移動するとき、前面のリングフレーム部１９はホッパ１の前側壁１ａ側に設けられているバルブプレート７ｂ面に対し摺動するので、バルブプレート７ｂ面に付着堆積しようとしているコンクリート１２を外周面で掻き取ることができる。この際、リングフレーム部１９の外周後面側コーナー部の上半部側には下向きのテーパ面２０が形成されているため、上記掻き取られたコンクリート１２はリングフレーム１９に付着することなく吸入流路面１７上に流下させられる。
【００２２】
このように、本発明では、揺動管６の両脇を埋めるように張り出させた左右のフィラーブロック１５ａ，１５ｂで残コンが殆ど生じないようにコンクリート１２を掬い上げることができるので、堆積コンクリートと吸入コンクリートとの間に抵抗が生じて吸入効率が低下してしまうようなこともなく、逆に、フィラーブロック１５ａ，１５ｂの凹面状の吸入流路面１７上に集めたコンクリート１２を吸入させるようにするので、吸入効率を向上させることができ、又、残コンが生じたとしてもその量は少ないことからホッパ１の洗浄を容易に行うことができるようになる。
【００２３】
なお、上記実施の形態では、フィラーブロック１５ａ，１５ｂを揺動管６に溶接によって取り付けるようにした場合を示したが、たとえば、揺動管６とフィラーブロック１５ａ，１５ｂとを鋳造により一体成形して、取り付け作業を省略できるようにしたり、あるいは、フィラーブロック１５ａ，１５ｂを揺動管６に対しボルトにより取り付けて、摩耗等が生じたときにはフィラーブロック１５ａ，１５ｂを交換できるようにしてもよいこと、又、フィラーブロック１５ａ，１５ｂの前面部のリングフレーム部１９は必要不可欠なものではないこと、その他本発明の要旨を逸脱しない範囲内において種々変更を加え得ることは勿論である。
【００２４】
【発明の効果】
以上述べた如く、本発明の揺動弁形コンクリートポンプによれば、ホッパ内に収納された揺動管に固定されてホッパ前側壁を貫通して突出された揺動軸を回動させることにより上記揺動管を左右に揺動させて、ホッパ前側壁に設けた左右２つの吸入吐出口に交互に一致させるようにしてある揺動弁形コンクリートポンプにおいて、上記ホッパの内底面を、上記揺動軸を中心とする揺動管の揺動軌跡に沿う円弧状に形成し、且つ上記ホッパの内底面に対し揺動管の左右の両脇のスペースを埋めるように該揺動管の左右両側に、該揺動管の揺動動作に伴いホッパの内底面上を摺動してコンクリートを掬い上げた後一方の吸入吐出口の位置まで運ぶようにするための左右のフィラーブロックを、左右に張り出させて取り付けた構成を有するので、フィラーブロックで掬い上げたコンクリートを吸入吐出口の位置まで運ぶことができることにより、吸入効率を向上させることができると共に、残コン量を少なくすることができることにより、ホッパの洗浄を容易に行うことができ、又、上記揺動管の左右の両脇のスペースを埋めるように該揺動管の左右両側に左右へ張り出させて取り付けられた左右のフィラーブロックを、各々ホッパの内底面に対し微小隙間をもって摺動できるように揺動管の揺動軸を中心とする半径の円弧面とした下面と、揺動管の前端が２つの吸入吐出口に交互に一致させられるときに順次一方の吸入吐出口に対応させられるようにした凹面状の吸入流路面とした上面と、該上面の吸入流路面と下面の円弧面とを張り出し側の位置で鋭角的に集合させることにより形成した外側縁とからなる構成とすることにより、揺動管の両脇のスペース部を、コンクリートの堆積が生じないように合理的に埋めることができ、更に、揺動管の左右の両脇のスペースを埋めるように該揺動管の左右両側に左右へ張り出させて取り付けられた左右のフィラーブロックを、下面を各々ホッパの内底面に対し微小隙間をもって摺動できるように揺動管の揺動軸を中心とする半径の円弧面とすると共に、上面を揺動管の前端が２つの吸入吐出口に交互に一致させられるときに順次一方の吸入吐出口に対応させられるように凹面状とし且つ上記揺動管の前端が２つの吸入吐出口に交互に一致させられるときに順次一方の吸入吐出口に一致させるようにするためのリングフレーム部を、上記凹面状の前端から立ち上がらせるようにして有する吸入流路面とし、該上面の吸入流路面と下面の円弧面とを張り出し側の位置で鋭角的に集合させることにより外側縁を形成させてなる構成とすることにより、ホッパの前側壁に設けられているバルブプレート面に対し付着堆積しようとしているコンクリートをリングフレーム部で掻き取ることができ、更に又、上記構成における外周後面側コーナー部の上半部側に、下向きのテーパ面を形成したリングフレーム部を、上記凹面状の前面から立ち上がらせるようにして有する吸入流路面とし、該上面の吸入流路面と下面の円弧面とを張り出し側の位置で鋭角的に集合させることにより外側縁を形成させてなる構成とすることによって、リングフレーム部で掻き取ったコンクリートを吸入流路面側へ容易に流下させることができる、等の優れた効果を発揮する。
【図面の簡単な説明】
【図１】本発明の揺動弁形コンクリートポンプの実施の一形態を示す概要図である。
【図２】図１のＡ−Ａ方向矢視図である。
【図３】図１のＢ−Ｂ方向矢視図である。
【図４】図１のＣ−Ｃ方向矢視図である。
【図５】図１のＤ−Ｄ方向矢視図である。
【図６】図１のＥ−Ｅ方向矢視図である。
【図７】図２のＦ−Ｆ方向矢視図である。
【図８】従来の揺動弁形コンクリートポンプの一例を示す概要図である。
【図９】図８のＧ−Ｇ方向矢視図である。
【図１０】従来の揺動弁形コンクリートポンプの他の例を示すもので、図９と対応する概略図である。
【符号の説明】
１  ホッパ
１ａ  前側壁
１ｄ  後側壁
２ａ，２ｂ  吸入吐出口
６  揺動管
８  揺動軸
１２  コンクリート
１５ａ，１５ｂ  フィラーブロック
１６  円弧面
１７  吸入流路面
１８  外側縁
１９  リングフレーム部
２０  テーパ面
【図１】
0004231132.tif 000002
【図２】
0004231132.tif 000003
【図３】
0004231132.tif 000004
【図４】
0004231132.tif 000005
【図５】
0004231132.tif 000006
【図６】
0004231132.tif 000007
【図７】
0004231132.tif 000008
【図８】
0004231132.tif 000009
【図９】
0004231132.tif 000010
【図１０】
0004231132.tif 000011